(57)【要約】【課題】  ハンドリング作業時やラック収納時に透明絶縁フィルムの剥離が生じず、また機械によるラック収納時にも機械停止数の少ないタッチパネルを提供する。【解決手段】    フィルム／ガラス構成のタッチパネル（８）における上側電極部材（１）の透明絶縁フィルム（１１）が、全周辺において上向きの傾斜端面（１１ａ）を有する。また、フィルム／フィルム構成のタッチパネル（８Ａ）における上側電極部材（１）の透明絶縁フィルム（１１）及び下側電極部材（２）の透明絶縁フィルム（２２）が、全周辺において上向きの傾斜端面（１１ａ，２２ａ）を有する。【選択図】      図１
2004265392.tif 000002
【特許請求の範囲】
【請求項１】
透明絶縁フィルムの下面に透明電極を有する上側電極部材と、ガラス板の上面に透明電極を有する下側電極部材とを備え、上記上側電極部材の上記透明絶縁フィルムが全周辺において、下から上に向かうに従い内向きに傾斜した傾斜端面を有するタッチパネル。
【請求項２】
透明絶縁フィルムの下面に透明電極を有する上側電極部材と、透明絶縁フィルムの上面に透明電極を有する下側電極部材と、上記下側電極部材の下面全面に接着された、ガラス板の透明支持板とを備え、上記上側電極部材の上記透明絶縁フィルム及び上記下側電極部材の上記透明絶縁フィルムが全周辺において、下から上に向かうに従い内向きに傾斜した傾斜端面をそれぞれ有し、かつ上記上側電極部材の上記透明絶縁フィルムが上記下側電極部材の上記透明絶縁フィルムの上記傾斜端面を除く上面に配置されているタッチパネル。
【請求項３】
上記上側電極部材の上記透明絶縁フィルムにおける全周辺の端面が、上記下側電極部材の上記ガラス板における全周囲の端面より内側に後退した後退部が形成されている請求項１に記載のタッチパネル。
【請求項４】
上記下側電極部材の上記透明絶縁フィルムにおける全周辺の端面が、上記ガラス板の上記透明支持板における全周辺の端面より内側に後退した後退部が形成されている請求項２に記載のタッチパネル。
【請求項５】
上記後退部の幅（ｄ）が、０．１〜１．５ｍｍの範囲である請求項３又は請求項４のいずれか１つに記載のタッチパネル。
【請求項６】
上記傾斜端面の法線が鉛直軸となす鋭角θが、３５〜７５。の範囲である請求項１〜５のいずれか１つに記載のタッチパネル。
【発明の詳細な説明】
【技術分野】
【０００１】
本発明は、ハンドリング作業時やラック収納時に透明絶縁フィルムの剥離が生
じず、また機械によるラック収納時にも機械停止数の少ないタッチパネルに関す
るものである。
【背景技術】
【０００２】
従来より、コンピューターに接続されたＬＣＤ（液晶ディスプレイ）やＣＲＴ
（ブラウン管）などの表示画面上に配置し、透視した表示画面に表示された指示
に従って指やペンなどで上から押圧することにより、押圧箇所の表示画面中にお
ける位置をコンピューターに入力することができるタッチパネルがある。最も一般的な透明電極タイプ（抵抗膜方式）のタッチパネルには、マトリックス状の特定の座標を検出するタイプのデジタル（マトリックス）方式、任意の座標を検出できるタイプのアナログ方式の２種類のタイプがあり、デジタル方式はメニュー入力に、アナログ方式は図形や手書き文字入力にと、異なった使い方がされる。また、デジタル方式、アナログ方式のいずれの場合も、フィルム／ガラス構造やフィルム／フィルム構造をとることが出来る。
【０００３】
ここで、フィルム／ガラス構造のタッチパネルとは、図１３に示すように、透明絶縁フィルム１１１の下面に透明電極を有する上側電極部材１０１と、ガラス板１２１の上面に透明電極を有する下側電極部材１０２とを備えるとともに、上側電極部材１０１と下側電極部材１０２とをその周縁部において粘着剤や両面テープ１０４などで接着しているものである。なお、各図面においては、透明電極を省略して、フィルム材料及びガラス材料の積層状態がわかりやすいように簡略化して示している。
【０００４】
また、フィルム／フィルム構造のタッチパネルとは、透明絶縁フィルム１１１の下面に透明電極を有する上側電極部材１０１と、透明絶縁フィルム１２２の上面に透明電極を有する下側電極部材１０２とを備え、かつガラス板（透明支持板）１０５が下側電極部材１０２の下面全面に接着しているものである（図１７参照）。
【０００５】
上記のフィルム／ガラス構造およびフィルム／フィルム構造については、例えば下記の特許文献１、特許文献２に開示されている。
【特許文献１】特許第２５８７９７５号公報
【特許文献２】実公平３−３７０５５号公報
【発明の開示】
【発明が解決しようとする課題】
【０００６】
しかし、従来のタッチパネルは、透明絶縁フィルム１１１，１２２やガラス板１２１，１０５の端面が各部材の表面に対して垂直な切断により形成されているため、次のような問題があった。
【０００７】
（１）まず、タッチパネルのハンドリング作業時に、誤って透明絶縁フィルム１１１を剥離してしまい、不良品が発生するという問題である。タッチパネルを手で扱う場合、入力領域に指紋などが付かないようにタッチパネルの平行な２辺の端面を指で挟むが、常に端面に対して垂直に指１０６を押し付けることはなかなか難しい。タッチパネルの寸法が大きい場合は、前記問題が特に起こり易い。タッチパネルの透明絶縁フィルム１１１の端面に斜め方向から指を押し付けると、透明絶縁フィルムの端面上部が圧縮され、圧縮しきれなくなると透明絶縁フィルム１１１の端面下部が浮き上がる、つまり剥離が起こるのである（図１４参照）。
【０００８】
さらに、上記タッチパネルのハンドリング作業時に、タッチパネルの透明絶縁フィルムの端面に斜め方向から指を押し付けて、透明絶縁フィルムの端面上部が圧縮される結果、粘着剤１０４も圧縮され、上側電極部材１０１と下側電極部材１０２との間より外方に押し出されることがある。両面テープの場合も、芯材の表面に粘着剤１０４が塗布形成されているので、同じように、両面テープの粘着剤１０４も圧縮され、上側電極部材１０１と下側電極部材１０２との間より外方に押し出されることがある。この食み出した粘着剤１０４がそのまま指１０６に付着すると、この指１０６で次にタッチパネルに触れたときに、タッチパネル１０８の表面や裏面に移ってしまうおそれがある。
【０００９】
あるいは、この食み出した粘着剤１０４が上記ハンドリング作業の後、図１５に示すようなラック７内にタッチパネル１０８を収納するための押し具に付着したような場合でも、この押し具による収納を繰り返しているうち、該押し具から付着物が剥離し、その剥離した付着物が、ラック７内の他のタッチパネル１０８の表面や裏面に移ってしまうおそれがある。
【００１０】
このようにタッチパネル１０８の表面や裏面に移って問題となるのは、視認性や入力特性（表面に糊が付着した場合）のような点である。
【００１１】
前者の「視認性」の問題とは、タッチパネルはＬＣＤなどのディスプレイ上に設置されてディスプレイ表示を透視しながら入力を行うものであるから、この透視を付着物が遮って表示が見にくくなるという問題である。
【００１２】
また、後者の「入力特性」の問題とは、入力ペンを用いて文字など書く場合にタッチパネル表面に沿ってペン先を滑らせても、付着物によって入力面の平滑性が損なわれているため書き味が悪くなるという問題である。つまり、スムーズにペンが移動せず、意図した入力が出来ない。これはタッチパネルとしては、致命傷である。
【００１３】
（２）また、上記食み出した粘着剤１０４が上記ハンドリング作業の後、ロボットハンドを用いてタッチパネルを搬送させるような場合、ロボットハンドのチャックとタッチパネルが上記粘着剤１０４によって離れにくくなることがある。その場合、予定していた場所と異なる場所にタッチパネルを移動してしまう、つまり床などに落下させ、タッチパネルを破損させてしまう。
【００１４】
（３）さらに、最近のタッチパネルは狭額縁化が進んでおり、両面テープ等の幅が狭いため、上記したよう食み出した粘着剤１０４が指１０６や押し具やその他に付着したときに、指１０６や押し具その他にタッチパネルが完全に転移してしまう場合がある。この場合、タッチパネルの上側電極部材１０１と下側電極部材１０２とをその周縁部において接着し、かつ、タッチパネルの内側（電極間の空気層）とタッチパネルの外側とを隔てるための仕切りが一部で無くなるということであり、ニュートンリングの発生や動作不良のような問題がある。
【００１５】
前者の「ニュートンリングの発生」は、上記仕切りの欠落部分より空気の出入りが自由なため、上側電極部材１０１の変形に対する空気層による反発力が働かず、入力を繰り返すうちに上側電極部材１０１が垂れ下がるようになり、ニュートンリングが発生してしまうというものである。
【００１６】
後者の「動作不良」の問題は、２つのケースがある。まず、一つ目は、上記仕切りの欠落部分より湿気がタッチパネルの内側（電極間の空気層）に入り込むため、金属部分が劣化することにより動作不良となるケースである。そして、２つ目は、上記仕切りの欠落部分より異物がタッチパネルの内側(電極間の空気層)に入り込むため、異物によって電極間が導通してしまうことにより動作不良となるケースである。
【００１７】
（４）また、タッチパネル１０８をラック７内に収納する時にも、透明絶縁フィルム１１１の剥離が問題となる。タッチパネル１０８のラック７の各段への収納は、タッチパネル１０８の平行な二辺をラック７の側板内側に水平に切られた溝７ｂに沿わせて奥方へ挿入して行なわれる（図１５参照）が、溝７ｂの幅が狭いためにラック７の各挿入口においてタッチパネル１０８の先端部がラック７の棚７ａに接触しやすい。そのため、タッチパネル１０８の透明絶縁フィルム１１１の端面のみがラック７の棚７ａと突き当たった場合、透明絶縁フィルム１１より下方の部材がラック７の溝７ｂ内に挿入されるのに対し、透明絶縁フィルム１１１は挿入口の外に押し止められ、剥離が起こるのである（図１６参照）。
【００１８】
しかも、タッチパネル１０８のラック７の各段への収納が機械により連続的に行なわれる場合には、透明絶縁フィルム１１１の端面とラック７の棚７ａとの突き当たりが一段でも生じると、その時点で挿入が出来なくなったり、次の段の挿入に間に合わなくなったりして、機械停止が発生した。
【００１９】
これら（１）〜（４）は、いずれもタッチパネル特有の問題である。
【００２０】
したがって、本発明の目的は、上記の問題点を解決し、ハンドリング作業時やラック収納時に透明絶縁フィルムの剥離が生じず、また機械によるラック収納時にも機械停止数の少ないタッチパネルを提供することにある。
【課題を解決するための手段】
【００２１】
上記目的を達成するために、本発明の第１態様によれば、透明絶縁フィルムの下面に透明電極を有する上側電極部材と、ガラス板の上面に透明電極を有する下側電極部材とを備え、上記上側電極部材の上記透明絶縁フィルムが全周辺において、下から上に向かうに従い内向きに傾斜した傾斜端面を有するタッチパネルを提供する。
【００２２】
また、本発明の第２態様によれば、透明絶縁フィルムの下面に透明電極を有する上側電極部材と、透明絶縁フィルムの上面に透明電極を有する下側電極部材と、上記下側電極部材の下面全面に接着された、ガラス板の透明支持板とを備え、上記上側電極部材の上記透明絶縁フィルム及び上記下側電極部材の上記透明絶縁フィルムが全周辺において、下から上に向かうに従い内向きに傾斜した傾斜端面をそれぞれ有し、かつ上記上側電極部材の上記透明絶縁フィルムが上記下側電極部材の上記透明絶縁フィルムの上記傾斜端面を除く上面に配置されているタッチパネルを提供する。
【００２３】
本発明の第３態様によれば、上記上側電極部材の上記透明絶縁フィルムにおける全周辺の端面が、上記下側電極部材の上記ガラス板における全周囲の端面より内側に後退した後退部が形成されている第１態様に記載のタッチパネルを提供する。
【００２４】
本発明の第４態様によれば、上記下側電極部材の上記透明絶縁フィルムにおける全周辺の端面が、上記ガラス板の上記透明支持板における全周辺の端面より内側に後退した後退部が形成されている第１態様に記載のタッチパネルを提供する。
【００２５】
本発明の第５態様によれば、上記後退部の幅が、０．１〜１．５ｍｍの範囲である第３又は４のいずれか１つの態様に記載のタッチパネルを提供する。
【００２６】
本発明の第６態様によれば、上記傾斜端面の法線が鉛直軸となす鋭角θが、３５〜７５。の範囲である第１〜５のいずれか１つの態様に記載のタッチパネルを提供する。
【発明の効果】
【００２７】
本発明のタッチパネルは、前記した構成及び作用からなるので、次の効果が奏される。
【００２８】
すなわち、本発明のフィルム／ガラス構成のタッチパネルは、上側電極部材の透明絶縁フィルムが全周辺において上向きの傾斜端面を有するので、タッチパネルのハンドリング作業時にタッチパネルの透明絶縁フィルムの端面に斜め方向から指を押し付けても、透明絶縁フィルムの端面上部が大きく圧縮されることがない。したがって、透明絶縁フィルムの端面下部が浮き上がることもなくなり、つまり剥離が起きない。
【００２９】
また、粘着剤も圧縮されないので、上側電極部材と下側電極部材との間より外方に押し出されることもないため、指や押し具やロボットハンドに付着せず、タッチパネルの表面や裏面に移ってしまうおそれも解消される。よって、押し出された粘着剤により、視認性や入力特性が損なわれることもないとともに、押し出された粘着剤によりロボットハンドのチャックとタッチパネルが離れにくくなることもなく、床などに誤って落下させてタッチパネルを破損させてしまうこともない。さらに、押し出された粘着剤により、指や押し具その他にタッチパネルが完全に転移することもなく、ニュートンリングの発生や動作不良も回避することができる。
【００３０】
また、本発明のフィルム／ガラス構成のタッチパネルは、上側電極部材の透明絶縁フィルムが全周辺において上向きの傾斜端面を有するので、タッチパネルのラックへの収納時にタッチパネルの透明絶縁フィルムの端面のみがラックの棚と突き当たりそうになっても、タッチパネル全体が上記傾斜端面に沿って斜め下前方に流され、突き当たりが回避される。したがって、透明絶縁フィルムのみが挿入口の外に押し止められることがなく、剥離が起きない。
【００３１】
また、タッチパネルのラックの各段への収納が機械により連続的に行なわれる場合にも、上記のように透明絶縁フィルムの端面とラックの棚との突き当たりが回避されるので、機械停止数も少なくなる。
【００３２】
なお、本発明のフィルム／フィルム構成のタッチパネルは、上側電極部材の透明絶縁フィルム及び下側電極部材の透明絶縁フィルムが全周辺において上向きの傾斜端面をそれぞれ形成し、かつ上記上側電極部材の透明絶縁フィルムが上記下側電極部材の透明絶縁フィルム上にのみ配置、言い換えれば、上記上側電極部材の透明絶縁フィルムが、上記下側電極部材の透明絶縁フィルムの傾斜端面を除く上面に配置されているので、上記した本発明のフィルム／ガラス構成のタッチパネルと同様の効果が得られる。
【００３３】
なお、上記様々な実施形態のうちの任意の実施形態を適宜組み合わせることにより、それぞれの有する効果を奏するようにすることができる。
【００３４】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【発明を実施するための最良の形態】
【００３５】
本発明のこれらと他の目的と特徴は、添付された図面についての好ましい実施形態に関連した次の記述から明らかになる。
【００３６】
以下に、図を参照しながら本発明の実施形態に係るタッチパネルについて詳細に説明する。添付図面において同じ部品については同じ参照符号を付している。
【００３７】
図１に示される本発明の第１実施形態に係るタッチパネル８は、例えば矩形の透明絶縁フィルム１１の下面に透明電極を有する例えば矩形板状の透明の上側電極部材１と、例えば矩形のガラス板２１の上面に透明電極を有する例えば矩形板状の透明の下側電極部材２とを、多数の透明のスペーサ３を介して対向させて周縁部において接着しているフィルム／ガラス構成のタッチパネル８において、上記上側電極部材１の透明絶縁フィルム１１が全周辺において、下から上に向かうに従い内向きに傾斜した、上向きの傾斜端面１１ａを有する。
【００３８】
上側電極部材１に用いられる透明絶縁フィルム１１としては、ポリカーボネート系、ポリアミド系、若しくは、ポリエーテルケトン系などのエンジニアリングプラスチック、又は、アクリル系、ポリエチレンテレフタレート系、若しくは、ポリブチレンテレフタレート系などの樹脂フィルムを用いることができる。なお、上側電極部材１の透明絶縁フィルム１１の上面には、ハードコート層を形成することができる。ハードコート層としてはシロキサン系樹脂などの無機材料、あるいはアクリルエポキシ系、ウレタン系の熱硬化型樹脂やアクリレート系の光硬化型樹脂などの有機材料がある。また、上側電極部材１の透明絶縁フィルム１１の上面に光反射防止のためにノングレア処理を施すことができる。たとえば、凹凸加工したり、ハードコート層中に体質顔料やシリカ、アルミナなどの微粒子を混ぜたりするとよい。さらに、上側電極部材１の透明絶縁フィルム１１は、１枚のフィルムではなく複数枚のフィルムを重ね合わせた積層体とすることもできる。
【００３９】
下側電極部材２に用いられるガラス板２１としては、ソーダガラス、ホウケイ酸ガラス、若しくは、強化ガラスなどを用いることができる。
【００４０】
本発明の第１実施形態の特徴は、フィルム／ガラス構成のタッチパネル８において、上記上側電極部材１の透明絶縁フィルム１１が全周辺において上向きの傾斜端面１１ａを形成したことにある。このように構成することにより、タッチパネル８のハンドリング作業時にタッチパネル８の透明絶縁フィルム１１の端面に斜め方向から指を押し付けても、透明絶縁フィルム１１の端面上部が大きく圧縮されることがない（図３参照）。したがって、透明絶縁フィルム１１の端面下部が浮き上がることもなくなり、つまり剥離が起きない。
【００４１】
また、粘着剤４も圧縮されないので、上側電極部材１と下側電極部材２との間より外方に押し出されることもないため、指や押し具やロボットハンドに付着せず、タッチパネル８の表面や裏面に移ってしまうおそれも解消される。よって、押し出された粘着剤４により、視認性や入力特性が損なわれることもないとともに、押し出された粘着剤４によりロボットハンドのチャックとタッチパネル８が離れにくくなることもなく、床などに誤って落下させてタッチパネル８を破損させてしまうこともない。さらに、押し出された粘着剤４により、指や押し具その他にタッチパネル８が完全に転移することもなく、ニュートンリングの発生や動作不良も回避することができる。
【００４２】
また、上側電極部材１の透明絶縁フィルム１１が全周辺において上向きの傾斜端面１１ａを有するので、タッチパネル８のラック７への収納時にタッチパネルの透明絶縁フィルム１１の端面のみがラック７の棚７ａと突き当たりそうになっても、タッチパネル８全体が上記傾斜端面１１ａに沿って斜め下前方に流され、突き当たりが回避される（図４参照）。したがって、透明絶縁フィルム１１のみが挿入口の外に押し止められることがなく、剥離が起きない。
【００４３】
また、タッチパネル８のラック７の各段への収納が機械により連続的に行なわれる場合にも、上記のように透明絶縁フィルム１１の端面とラックの棚７ａとの突き当たりが回避されるので、機械停止数も少なくなる。
【００４４】
なお、上記傾斜端面１１ａは透明絶縁フィルム１１のカット断面として形成され、当該傾斜端面１１ａの法線が鉛直軸となす鋭角θ（傾斜角θ）は、３５〜７５。の範囲とするのが好ましい。傾斜角θが３５。に満たないと、透明絶縁フィルム１１のカットが困難となる。他方、傾斜角θが７５。を超えると、前記した傾斜端面１１ａに起因する効果を得ることが困難となる。傾斜端面の傾斜角θのより好ましい範囲としては４０〜７０。である。傾斜角θが４０。以上とすることにより、透明絶縁フィルム１１のカットが困難になるのを確実に回避することができる。他方、傾斜角θが７０。以下とすることにより、前記した傾斜端面１１ａに起因する効果を確実に得ることができる。また、上記傾斜端面１１ａは、平滑なものに限定されず、全体的な傾向として傾斜角θを有していれば非平滑なものも含む。その場合、図５に示すように、フィルム上面のカット断面分岐点Ａとフィルム下面のカット断面分岐点Ｂとを結ぶ線（図中の破線）がフィルム下面に対してなす角度を傾斜角θとする。
【００４５】
上記透明電極は、アナログ方式のタッチパネルであれば上側電極部材１及び下側電極部材２に一つづつ形成されるが、デジタル方式のタッチパネルであれば上側電極部材１及び下側電極部材２にそれぞれ短冊状パターンが複数個づつ形成される。透明電極の材料としては、酸化錫、酸化インジウム、酸化アンチモン、酸化亜鉛、酸化カドミウム、若しくは、インジウムチンオキサイド（ＩＴＯ）などの金属酸化物膜、これらの金属酸化物を主体とする複合膜、又は金、銀、銅、錫、ニッケル、アルミニウム、若しくは、パラジウムなどの金属膜によって、形成することができる。また、透明電極を２層以上の多層膜とすることができる。透明電極を構成するこれらの透明導電膜は真空蒸着、スパッタリング、イオンプレーティング、若しくは、ＣＶＤ法などで形成することができる。透明導電膜は、酸などでエッチング処理を行い透明電極とする部分以外の不要な部分を除去する方法によってパターン化することができる。また、透明導電膜上の透明電極とする部分以外を絶縁性被膜で覆うようにしてもよい。
【００４６】
なお、タッチパネル本体８１は、通常、コネクタ８２を介して外部回路と接続され、上記透明電極からタッチパネルの入出力端までは引き回し線が設けられる（図８参照）。引き回し線は、通常、金、銀、銅、若しくは、ニッケルなどの金属あるいはカーボンなどの導電性を有するペーストを用い、スクリーン印刷、オフセット印刷、グラビア印刷、若しくは、フレキソ印刷などの印刷法、又は、刷毛塗法などによって行なうが、コネクタ８２と透明電極との間の導通が図れればこれに限定されない。また、透明電極と引き回し線の接続部分、すなわちアナログ方式のタッチパネルであれば透明電極の対向する二辺、デジタル方式のタッチパネルであれば各短冊状パターンの一短辺にそれぞれ帯状電極（バスバーともいう）が形成される。この帯状電極には、引き回し線と同様の材料及び形成手段を用いることができる。
【００４７】
上側電極部材１と下側電極部材２との間には、通常、スペーサが存在する。スペーサは、一般に枠形態などに形成される。スペーサとしては、透明絶縁基材と同様の樹脂フィルム等のほか、アクリル系樹脂、エポキシ系樹脂、若しくは、シリコーン系樹脂の如き適宜な樹脂の印刷層又は塗布層を用いることができる。このスペーサは、一般に上側電極部材１と下側電極部材２とを固定する枠形態の両面テープ４、接着剤又は粘着剤からなる接着層と兼ねさせることが多い。接着剤又は粘着剤からなる接着層を形成する場合にはスクリーン印刷等が用いられる。
【００４８】
また、大判のタッチパネルを形成する場合、上側電極部材１と下側電極部材２の透明電極間の空隙を確保するために、いずれか一方の透明電極表面にドット状スペーサ３を形成する（図１参照）が、タッチパネルが小さい場合には省略できる。ドット状スペーサ３としては、たとえばメラミンアクリレート樹脂、ウレタンアクリレート樹脂、エポキシアクリレート樹脂、メタアクリルアクリレート樹脂、若しくはアクリルアクリレート樹脂などのアクリレート樹脂、又は、ポリビニールアルコール樹脂などの光硬化型樹脂をフォトプロセスで微細なドット状に形成して得ることができる。また、印刷法により微細なドットを多数形成してスペーサとすることもできる。また、無機物や有機物からなる粒子の分散液を噴霧、又は塗布して乾燥することによっても得ることができる。
【００４９】
以上、図１に示されるタッチパネル８について述べたが、本発明のタッチパネルの構成は、前記した第１実施形態に限定されるものではない。
たとえば、図２に示すタッチパネル８Ａは、本発明の第２実施形態に係るフィルム／フィルム構成のタッチパネルであって、透明絶縁フィルム１１の下面に透明電極を有する上側電極部材１と、透明絶縁フィルム２２の上面に透明電極を有する下側電極部材２とを備え、かつガラス板（透明支持板）５が下側電極部材２の下面全面に透明粘着層１０にて接着しているフィルム／フィルム構成のタッチパネルの場合であって、上記上側電極部材１の透明絶縁フィルム１１及び上記下側電極部材２の透明絶縁フィルム２２が全周辺において上向きの傾斜端面１１ａ，２２ａをそれぞれ有し、かつ上記上側電極部材１の透明絶縁フィルム１１が上記下側電極部材２の透明絶縁フィルム２２上にのみ配置、言い換えれば、上記上側電極部材１の透明絶縁フィルム１１が、上記下側電極部材２の透明絶縁フィルム２２の傾斜端面２２ａを除く上面に配置されている。
【００５０】
下側電極部材２に用いられる透明絶縁フィルム２２としては、上側電極部材１の透明絶縁フィルム１１と同様、ポリカーボネート系、ポリアミド系、若しくはポリエーテルケトン系などのエンジニアリングプラスチック、アクリル系、ポリエチレンテレフタレート系、又は、ポリブチレンテレフタレート系などのフィルムなどを用いることができ、また１枚のフィルムではなく複数枚のフィルムを重ね合わせた積層体とすることもできる。
【００５１】
下側電極部材２の下面全面に接着しているガラス板（透明支持板）５としては、ソーダガラス、ホウケイ酸ガラス、若しくは、強化ガラスなどを用いることができる。
【００５２】
フィルム／フィルム構成のタッチパネル８Ａにおいて、上記の如く構成することにより、前記した本発明の第１実施形態に係るフィルム／ガラス構成のタッチパネル８と同様に、タッチパネル８Ａのハンドリング作業時にタッチパネル８Ａの透明絶縁フィルム１１及び透明絶縁フィルム２２の端面１１ａ，２２ａに斜め方向から指を押し付けても、これらの端面上部が大きく圧縮されることがない。したがって、透明絶縁フィルム１１及び透明絶縁フィルム２２の端面下部が浮き上がることもなくなり、つまり剥離が起きない。
【００５３】
また、粘着剤４も圧縮されないので、上側電極部材１と下側電極部材２との間より外方に押し出されることもないため、指や押し具やロボットハンドに付着せず、タッチパネル８Ａの表面や裏面に移ってしまうおそれも解消される。よって、押し出された粘着剤４により、視認性や入力特性が損なわれることもないとともに、押し出された粘着剤４によりロボットハンドのチャックとタッチパネル８Ａが離れにくくなることもなく、床などに誤って落下させてタッチパネル８Ａを破損させてしまうこともない。さらに、押し出された粘着剤４により、指や押し具その他にタッチパネル８Ａが完全に転移することもなく、ニュートンリングの発生や動作不良も回避することができる。
【００５４】
また、タッチパネル８Ａのラック７への収納時にタッチパネル８Ａの透明絶縁フィルム１１及び透明絶縁フィルム２２の端面のみがラック７の棚７ａと突き当たりそうになっても、前記した本発明の第１実施形態に係るフィルム／ガラス構成のタッチパネル８と同様に、タッチパネル８Ａ全体が上記傾斜端面１１ａ，２２ａに沿って斜め下前方に流され、突き当たりが回避される。したがって、透明絶縁フィルム１１又は透明絶縁フィルム２２のみが挿入口の外に押し止められることがなく、剥離が起きない。
【００５５】
また、タッチパネル８Ａのラック７の各段への収納が機械により連続的に行なわれる場合にも、上記のように透明絶縁フィルム１１及び透明絶縁フィルム２２の端面とラックの棚７ａとの突き当たりが回避されるので、機械停止数も少なくなる。
【００５６】
なお、上記フィルム／フィルム構成のタッチパネル８Ａにおける上記傾斜端面１１ａ，２２ａは透明絶縁フィルム１１，２２のカット断面として形成され、当該傾斜端面１１ａ，２２ａの法線が鉛直軸となす鋭角θ（傾斜角θ）は、前記した本発明の第１実施形態に係るフィルム／ガラス構成のタッチパネル８の場合と同様の理由から３５〜７５。の範囲とするのが好ましい。傾斜端面の傾斜角θのより好ましい範囲としても、上記の場合と同様の理由から４０〜７０。である。また、上記傾斜端面１１ａ，２２ａは、平滑なものに限定されず、全体的な傾向として傾斜角θを有していれば非平滑なものも含む。
【００５７】
本発明の第２実施形態に係るフィルム／フィルム構成のタッチパネル８Ａの上記下側電極部材２の透明絶縁フィルム２２、粘着層１０及びガラス板（透明支持板）５以外の構成部材については、前記したフィルム／ガラス構成のタッチパネルと同様のものを用いる。
【００５８】
また、本発明のタッチパネルは、フィルム材料の端部に隣接して後退部（ガラス板露出部）９を有しているのがより好ましい。具体的には、前記本発明の第１実施形態に係るフィルム／ガラス構成のタッチパネル８においては、上記上側電極部材１の透明絶縁フィルム１１が、全周辺において上記下側電極部材２のガラス板２１より内側に後退して後退部（ガラス板露出部）９を形成しているようにする（図６参照）。また、前記本発明の第２実施形態に係るフィルム／フィルム構成のタッチパネル８Ａにおいては、上記下側電極部材２の透明絶縁フィルム２２が、全周辺において上記ガラス板（透明支持板）５より内側に後退して後退部（ガラス板露出部）９を形成しているようにする（図７参照）。なお、フィルム／フィルム構成のタッチパネル８Ａの場合、下側電極部材２の透明絶縁フィルム２２が後退しても、上記上側電極部材１の透明絶縁フィルム１１が上記下側電極部材２の透明絶縁フィルム２２上にのみ配置、言い換えれば、上記上側電極部材１の透明絶縁フィルム１１が、上記下側電極部材２の透明絶縁フィルム２２の傾斜端面２２ａを除く上面に配置されている関係に変わりはない。
【００５９】
このように構成することにより、タッチパネル本体８１へのコネクタ８２の取付けが容易になる。一般に、上側電極部材１と下側電極部材２とを、周縁部において切欠部４ａが設けられた両面テープ４等にて接着した後、図８に示すように、得られたタッチパネル本体８１の一辺において上側電極部材１と下側電極部材２との間にコネクタ８２としてフレキシブルプリント配線板（ＦＰＣ）の端部を挿入し、該フレキシブルプリント配線板の端部を、異方導電性接着剤を用いて熱圧着機により熱圧着している。しかし、上側電極部材１と下側電極部材２の間のギャップが小さいため、上記コネクタ８２の挿入は、針に糸を通すが如く作業性が悪く（図１０参照）、生産効率の低下につながっている。これに対して、前記本発明の第１実施形態に係るフィルム／ガラス構成のタッチパネル８において、上記上側電極部材１の透明絶縁フィルム１１が、全周辺において上記下側電極部材２のガラス板２１より内側に後退した後退部（ガラス板露出部）９が配置されているようにすれば、まずコネクタ８２の端部を下側電極部材２のガラス板２１上面に設けられた後退部９に当てた後、そのまま下側電極部材２上面に沿って滑らせることにより、上側電極部材１と下側電極部材２との間にコネクタ８２の端部を容易に挿入することができるのである（図９参照）。また、前記本発明の第２実施形態に係るフィルム／フィルム構成のタッチパネル８Ａにおいても、上記下側電極部材２の透明絶縁フィルム２２が、全周辺において上記ガラス板（透明支持板）５より内側に後退した後退部（ガラス板露出部）９が配置されているようにすれば、まずコネクタ８２の端部をガラス板（透明支持板）５上面に設けられた後退部９に当てた後、そのままガラス板（透明支持板）５上面及び上記下側電極部材２の傾斜端面２２ａに沿って滑らせることにより、上側電極部材１と下側電極部材２との間にコネクタ８２の端部を容易に挿入することができるのである（図１１参照）。
【００６０】
また、後退部９を設けることにより、タッチパネルのハンドリング作業時にも透明絶縁フィルム１１，２２の端面に指が接触せず、傾斜端面１１ａ，２２ａを設けただけの場合と比べて剥離防止がより容易である（図１２参照）。
【００６１】
上記後退部９の幅ｄは、０．１〜１．５ｍｍの範囲であるのが好ましい。幅ｄが０．１ｍｍ未満であると、コネクタ８２を端部を当てることが困難となる。他方、幅ｄが１．５ｍｍを超えると、タッチパネル８，８Ａにおいて電気的働きをしていない面積が無駄に大きくなり、業界の狭額縁化の流れに逆行することになる。
【００６２】
なお、本発明の上側電極部材と下側電極部材との接着や下側電極部材と透明支持板との接着に用いられる接着層（粘着層１０や両面テープ４）は、図１〜４、図６、図７、図９〜１２のいずれの図においては傾斜端面を有していないが、上側電極部材や下側電極部材の傾斜端面と同様に傾斜していても構わない。
図１，図３，図４のタッチパネルにおいて、両面テープ４が、上側電極部材１の傾斜端面１１ａと同様に傾斜端面４ｂを有する例を図１９に示す。また、図２のタッチパネルにおいて、両面テープ４及び粘着層１０が、上側電極部材１の傾斜端面１１ａ及び下側電極部材２の傾斜端面２２ａと同様に傾斜端面４ｂ，１０ａを有する例を図２０に示す。また、図６のタッチパネルにおいて、両面テープ４が、上側電極部材１の傾斜端面１１ａと同様に傾斜端面４ｂを有する例を図２１に示す。また、図９，図１２のタッチパネルにおいて、両面テープ４が、上側電極部材１の傾斜端面１１ａと同様に傾斜端面４ｂを有する例を図２２に示す。また、図７のタッチパネルにおいて、両面テープ４及び粘着層１０が、上側電極部材１の傾斜端面１１ａ及び下側電極部材２の傾斜端面２２ａと同様に傾斜端面４ｂ，１０ａを有する例を図２３に示す。さらに、図１１のタッチパネルにおいて、両面テープ４及び粘着層１０が、上側電極部材１の傾斜端面１１ａ及び下側電極部材２の傾斜端面２２ａと同様に傾斜端面４ｂ，１０ａを有する例を図２４に示す。このように、両面テープ４及び／又は粘着層１０が、上側電極部材１の傾斜端面１１ａ及び／又は下側電極部材２の傾斜端面２２ａと同様に傾斜端面４ｂ及び／又は１０ａを有することにより、ハンドリング作業時やラック収納時に透明絶縁フィルムの剥離が生じず、また機械によるラック収納時にも機械停止数の少ないなどの本発明の効果をより確実に奏することができる。さらに、タッチパネルの全周囲が、上記したように、傾斜端面１１ａ及び／又は２２ａを有するように構成することにより、さらには、傾斜端面１１ａ及び／又は２２ａに加えて傾斜端面４ｂ及び／又は１０ａを有するように構成することにより、本発明の効果をタッチパネルの全周囲でより確実に奏することができる。また、結果として接着層の傾斜端面が上記後退部９内に存在することになっても、接着層は上側電極部材１と下側電極部材２に比して柔軟であるため、前記したコネクタ８２の端部をガラス板２１，５上面に設けられた後退部９に当てる邪魔をしない。
【００６３】
また、上側電極部材と下側電極部材との接着や下側電極部材と透明支持板との接着に用いられる接着層（粘着層１０や両面テープ４）の端面が、上側電極部材や下側電極部材の傾斜端面と同様に傾斜している場合、ゴミ取りローラー１００のロール間にタッチパネル８を通すことにより（図１８参照）、タッチパネル８表裏面に付着しているゴミばかりでなく、接着層の端面にその接着力によって強固に付着しているゴミも除去することができるというメリットがある。接着層の端面が前記したような傾斜を有しているため、ロール間への挿入時に接着層の端面をロールと接触させることができるからである。なお、フィルムの傾斜端面に付着したゴミも同様の理由で、除去可能である。
【実施例１】
【００６４】
厚み１８５μｍであり、且つ全周辺において上向きの傾斜端面（傾斜角６０。）を有するＰＥＴフィルムを用い、その上面に厚み１５ｎｍのＩＴＯ膜をスパッタリングにて形成し、ＩＴＯ膜の周縁部分を除去して透明電極とした。次いで、銀ペーストを用いスクリーン印刷にて透明電極の平行な二辺のバスバー及び引き回し線を形成した上側電極部材を得た。また、厚み０．７ｍｍのソーダガラス板を用い、上側電極部材と同様にして下側電極部材を得た。次に、両電極部材を透明電極間に空気層を介して対向配置させ、両者を周縁部において切欠部を有する両面テープにて接着してタッチパネル本体（各層縦５０ｍｍ×横４０ｍｍ）を得た。最後に、タッチパネル本体の上記両面テープの切欠部にコネクタとしてフレキシブルプリント配線板（ＦＰＣ）の端部を挿入し、異方導電性接着剤を用い熱圧着機により熱圧着してフィルム／ガラス構成のタッチパネルを得た。
【００６５】
このようにして得られたタッチパネルは、いずれも透明絶縁フィルムが上向きの傾斜端面を有していることによりハンドリング作業時やラック収納時に透明絶縁フィルムの剥離が生じず、また機械によるラック収納時にも機械停止数の少ないものであった。
【実施例２】
【００６６】
厚み１８５μｍであり、且つ全周辺において上向きの傾斜端面（傾斜角６０。）を有するＰＥＴフィルムを用い、その上面に厚み１５ｎｍのＩＴＯ膜をスパッタリングにて形成し、ＩＴＯ膜の周縁部分を除去して透明電極とした。次いで、銀ペーストを用いスクリーン印刷にて透明電極の平行な二辺のバスバー及び引き回し線を形成した上側電極部材を得た。また、厚み１２５μｍであり、且つ全周辺において上向きの傾斜端面（傾斜角６０。）を有するＰＥＴフィルムを用い、上側電極部材と同様にして下側電極部材を得た。次に、上記上側電極部材の透明絶縁フィルムが上記下側電極部材の透明絶縁フィルム上にのみ配置されているように両電極部材を透明電極間に空気層を介して対向配置させ、両者を周縁部において切欠部を有する両面テープにて接着し、さらに下側電極部材の下面全面に厚み０．７ｍｍのソーダガラス板を透明支持板として粘着剤にて接着し、タッチパネル本体（各層縦５０ｍｍ×横４０ｍｍ）を得た。最後に、タッチパネル本体の上記両面テープの切欠部にコネクタとしてフレキシブルプリント配線板（ＦＰＣ）の端部を挿入し、異方導電性接着剤を用い熱圧着機により熱圧着してフィルム／フィルム構成のタッチパネルを得た。
【００６７】
このようにして得られたタッチパネルは、いずれも透明絶縁フィルムが上向きの傾斜端面を有していることによりハンドリング作業時やラック収納時に透明絶縁フィルムの剥離が生じず、また機械によるラック収納時にも機械停止数の少ないものであった。
【実施例３】
【００６８】
上記上側電極部材の透明絶縁フィルムの縦横寸法を縦４９．８５ｍｍ、横３９．８５ｍｍと小さくすることによって、全周辺において上記下側電極部材のガラス板より０．１５ｍｍ内側に後退させて後退部を設けたこと以外、実施例１と同様とした。
【００６９】
このようにして得られたタッチパネルは、いずれも透明絶縁フィルムが上向きの傾斜端面を有していることによりハンドリング作業時やラック収納時に透明絶縁フィルムの剥離が生じず、また機械によるラック収納時にも機械停止数の少ないものであった。また、フィルム材料が内側に後退して後退部を設けられたことによりコネクタ挿入の作業性がよく、またハンドリング作業時の剥離防止性がより優れたものであった。
【実施例４】
【００７０】
上記下側電極部材の透明絶縁フィルムの縦横寸法を４９．８５ｍｍ、横３９．８５ｍｍと小さくすることによって、全周辺において上記ガラス板からなる透明支持板より０．１５ｍｍ内側に後退させて後退部を設けたこと以外、実施例２と同様とした。
【００７１】
このようにして得られたタッチパネルは、いずれも透明絶縁フィルムが上向きの傾斜端面を有していることによりハンドリング作業時やラック収納時に透明絶縁フィルムの剥離が生じず、また機械によるラック収納時にも機械停止数の少ないものであった。また、フィルム材料が内側に後退して後退部を設けられたことによりコネクタ挿入の作業性がよく、またハンドリング作業時の剥離防止性がより優れたものであった。
【図面の簡単な説明】
【００７２】
【図１】本発明の第１実施形態に係るフィルム／ガラス構成のタッチパネルを示す断面図である。
【図２】本発明の第２実施形態に係るフィルム／フィルム構成のタッチパネルを示す断面図である。
【図３】図１のタッチパネルについてハンドリング時の効果を説明した図である。
【図４】図１のタッチパネルについてラック収納時の効果を説明した図である。
【図５】本発明のタッチパネルの傾斜端面について説明した図である。
【図６】本発明の第１実施形態に係るフィルム／ガラス構成のタッチパネルを示す断面図である。
【図７】本発明の第２実施形態に係るフィルム／フィルム構成のタッチパネルを示す断面図である。
【図８】タッチパネルのコネクタの取付けについて説明した図である。
【図９】タッチパネルについてコネクタ挿入時の効果を説明した図である。
【図１０】コネクタ挿入時の問題について説明した図である。
【図１１】図７のタッチパネルについてコネクタ挿入時の効果を説明した図である。
【図１２】図６のタッチパネルについてハンドリング時の効果を説明した図である。
【図１３】従来のフィルム／ガラス構成のタッチパネルの一例を示す断面図である。
【図１４】従来技術におけるハンドリング時の問題について説明した図である。
【図１５】タッチパネルのラック収納について説明した斜視図である。
【図１６】従来技術におけるラック収納時の問題について説明した図である。
【図１７】従来のフィルム／フィルム構成のタッチパネルの一例を示す断面図である。
【図１８】タッチパネルに付着したゴミ除去の一例を示す図である。
【図１９】図１，図３，図４のタッチパネルにおいて、両面テープが、上側電極部材の傾斜端面と同様に傾斜端面を有する例の一部拡大断面図である。
【図２０】図２のタッチパネルにおいて、両面テープ及び粘着層が、上側電極部材の傾斜端面及び下側電極部材の傾斜端面と同様に傾斜端面を有する例の一部拡大断面図である。
【図２１】図６のタッチパネルにおいて、両面テープが、上側電極部材の傾斜端面と同様に傾斜端面を有する例の一部拡大断面図である。
【図２２】図９，図１２のタッチパネルにおいて、両面テープが、上側電極部材の傾斜端面と同様に傾斜端面を有する例の一部拡大断面図である。
【図２３】図７のタッチパネルにおいて、両面テープ及び粘着層が、上側電極部材の傾斜端面及び下側電極部材の傾斜端面と同様に傾斜端面を有する例の一部拡大断面図である。
【図２４】図１１のタッチパネルにおいて、両面テープ及び粘着層が、上側電極部材の傾斜端面及び下側電極部材の傾斜端面と同様に傾斜端面を有する例の一部拡大断面図である。
【符号の説明】
【００７３】
１  上側電極部材
１１  透明絶縁フィルム
１１ａ  傾斜端面
２  下側電極部材
２１  ガラス板
２２  透明絶縁フィルム
２２ａ  傾斜端面
３  ドット状スペーサ
４  両面テープ
４ａ  切欠部
５  ガラス板（透明支持板）
６  指
７  ラック
７ａ  棚
７ｂ  溝
８  タッチパネル
８Ａ  タッチパネル
８１  タッチパネル本体
８２  コネクタ
９  後退部
１０  粘着層
１００  ゴミ取りローラー
１０１  上側電極部材
１０２  下側電極部材
１０３  ドット状スペーサ
１０４  両面テープ
１０５  ガラス板（透明支持板）
１０８  タッチパネル
１１０  粘着層
１１１  透明絶縁フィルム
１２１  ガラス板
１２２  透明絶縁フィルム
【図１】
2004265392.tif 000003
【図２】
2004265392.tif 000004
【図３】
2004265392.tif 000005
【図４】
2004265392.tif 000006
【図５】
2004265392.tif 000007
【図６】
2004265392.tif 000008
【図７】
2004265392.tif 000009
【図８】
2004265392.tif 000010
【図９】
2004265392.tif 000011
【図１０】
2004265392.tif 000012
【図１１】
2004265392.tif 000013
【図１２】
2004265392.tif 000014
【図１３】
2004265392.tif 000015
【図１４】
2004265392.tif 000016
【図１５】
2004265392.tif 000017
【図１６】
2004265392.tif 000018
【図１７】
2004265392.tif 000019
【図１８】
2004265392.tif 000020
【図１９】
2004265392.tif 000021
【図２０】
2004265392.tif 000022
【図２１】
2004265392.tif 000023
【図２２】
2004265392.tif 000024
【図２３】
2004265392.tif 000025
【図２４】
2004265392.tif 000026